(57)【要約】      （修正有）【課題】一種類で各社のエアコンに対応するエアコン用交換フィルターを提供する。【解決手段】正方形のパネル状フィルター２を、中央部を縦横に分断して、上部と下部の夫々左右に位置するフィルター部２Ａ、２Ｂ、２Ｃ、２Ｄ同士の間に、山と谷が交互に連続する伸縮プリーツ材３、４を、その山の稜線が上下方向に延びるようにして取り付ける。上部の左右に位置するフィルター部２Ａ、２Ｂと、下部の左右に位置するフィルター部２Ｃ、２Ｄ同士の間に、長さを、上部と下部の夫々の左右のフィルター部を最大に拡大したときにおける外端部間の間隔より小さい長さとした、山と谷が交互に連続する伸縮プリーツ材５、６の一対を、山の稜線が左右方向に延びるようにして摺動自在に重合し、夫々の長さ方向の一端側を、上部と下部の上下に位置するフィルター部２Ａ、２Ｃ、２Ｂ、２Ｄ同士に接続して取り付ける。更に相互間の間隔の拡縮をガイドするガイド部材７、８、９、１０を取り付ける。【選択図】図１
0003217351.tif 000002
【実用新案登録請求の範囲】
【請求項１】
正方形のパネル状フィルターを、中央部を縦横に分断して４枚のフィルター部となし、上部と下部の夫々左右に位置するフィルター部同士の間に、山と谷が交互に連続する伸縮プリーツ材を、その山の稜線が上下方向に延びるようにして取り付けると共に、上部の左右に位置するフィルター部と、下部の左右に位置するフィルター部同士の間に、長さを、上部と下部の夫々の左右のフィルター部を最大に拡大したときにおける外端部間の間隔より小さい長さとした、山と谷が交互に連続する伸縮プリーツ材の一対を、山の稜線が左右方向に延びるようにして摺動自在に重合し、夫々の長さ方向の一端側を、上部と下部の上下に位置するフィルター部同士に接続して取り付け、更に前記４枚のフィルター部同士の間に、同一平面を保持した状態での相互間の間隔の拡縮をガイドするガイド部材を取り付けてなることを特徴とするエアコン用交換フィルター。
【請求項２】
パネル状フィルターがプリーツフィルターである請求項１記載のエアコン用交換フィルター。
【請求項３】
ガイド部材が、隣接するフィルター部の夫々の外面に取着する、ガイド環を有する基板と、前記隣接するフィルター部の夫々に取着した基板のガイド環に亘って摺動自在に貫挿したガイド杆とからなるガイド部材である請求項１又は２記載のエアコン用交換フィルター。
【請求項４】
ガイド部材が、隣接するフィルター部の間に取り付けるフレームからなるガイド部材であり、上部と下部の夫々左右に位置するフィルター部同士の間に取り付けるガイド部材にあっては、伸縮プリーツ材の周囲を取り囲む平面視長方形をなし、長辺部間の間隔を拡縮自在としたフレームからなるガイド部材であり、上部の左右に位置するフィルター部と、下部の左右に位置するフィルター部同士の間に取り付けるガイド部材にあっては、摺動自在に重合した一対の伸縮プリーツ材の夫々の長さ方向の中央部を除いた周囲を取り囲む平面視長方形をなし、長辺部間の間隔を拡縮自在としたフレームからなるガイド部材である請求項１又は２記載のエアコン用フィルター。
【考案の詳細な説明】
【技術分野】
【０００１】
本考案はエアコン用交換フィルターに関し、更に詳細には全体の寸法を拡縮調整することができるようになしたエアコン用交換フィルターに係わる。
【背景技術】
【０００２】
例えば、天井設置エアコンの吸気口にはフィルターが取り付けられているが、このフィルターは塵埃による目詰まりやカビの発生等により寿命がきたときには新しいものと取り替えなければならない。そして、この新しいものと取り替えるときには交換用のフィルターを用いて行われる。
【０００３】
ところで、この交換用フィルターは各社において提供されているが、各社の提供するフィルターはいずれも自社のエアコンのみに適合する寸法となっている。したがって、純正品しか使用することができない。
【０００４】
このため、一般消費者が交換用フィルターを販売店等で購入するときには、純正品を探さなければならず、また、特に品数の少ない販売店等では購入することもできず、きわめて不便であった。また、エアコンの機種は多数であるから、販売店等は多数の純正品を取り揃えておかなければならず、不経済であった。よって、従来これらの問題点の改善が要望されていた。
【考案の概要】
【考案が解決しようとする課題】
【０００５】
本考案は上記の点に鑑みなされたものであって、全体の寸法を拡縮調整することができるようにして、一種類のフィルターでもって各社の提供する数種のエアコンの全てに対応することができるようになしたエアコン用交換フィルターを提供しようとするものである。
【課題を解決するための手段】
【０００６】
而して、本考案の要旨とするところは、正方形のパネル状フィルターを、中央部を縦横に分断して４枚のフィルター部となし、上部と下部の夫々左右に位置するフィルター部同士の間に、山と谷が交互に連続する伸縮プリーツ材を、その山の稜線が上下方向に延びるようにして取り付けると共に、上部の左右に位置するフィルター部と、下部の左右に位置するフィルター部同士の間に、長さを、上部と下部の夫々の左右のフィルター部を最大に拡大したときにおける外端部間の間隔より小さい長さとした、山と谷が交互に連続する伸縮プリーツ材の一対を、山の稜線が左右方向に延びるようにして摺動自在に重合し、夫々の長さ方向の一端側を、上部と下部の上下に位置するフィルター部同士に接続して取り付け、更に前記４枚のフィルター部同士の間に、同一平面を保持した状態での相互間の間隔の拡縮をガイドするガイド部材を取り付けてなることを特徴とするエアコン用交換フィルターにある。
【０００７】
また、上記構成において、パネル状フィルターとしてはプリーツフィルターであってもよい。
【０００８】
また、上記構成において、ガイド部材が、隣接するフィルター部の夫々の外面に取着する、ガイド環を有する基板と、前記隣接するフィルター部の夫々に取着した基板のガイド環に亘って摺動自在に貫挿したガイド杆とからなるガイド部材であってもよい。
【０００９】
また、上記構成において、ガイド部材が、隣接するフィルター部の間に取り付けるフレームからなるガイド部材であり、上部と下部の夫々左右に位置するフィルター部同士の間に取り付けるガイド部材にあっては、伸縮プリーツ材の周囲を取り囲む平面視長方形をなし、長辺部間の間隔を拡縮自在としたフレームからなるガイド部材であり、上部の左右に位置するフィルター部と、下部の左右に位置するフィルター部同士の間に取り付けるガイド部材にあっては、摺動自在に重合した一対の伸縮プリーツ材の夫々の長さ方向の中央部を除いた周囲を取り囲む平面視長方形をなし、長辺部間の間隔を拡縮自在としたフレームからなるガイド部材であってもよい。
【考案の効果】
【００１０】
本考案は、上記の如き構成であるから、４枚のフィルター部の夫々の間隔を変更することにより、全体の寸法を適宜の寸法に調整することができるものである。したがって、一種類のフィルターでもって各社の提供する数種のエアコンの全てに対応することができ、もって上記従来の問題点を悉く解消することができるものである。
【図面の簡単な説明】
【００１１】
【図１】本考案の第１実施形態に係るエアコン用交換フィルターの斜視図である。
【図２】同平面図である。
【図３】同ガイド部材の部分の拡大斜視図である。
【図４】同作用説明図であり、上部と下部の夫々左右に位置するフィルター部同士の間隔の変更を説明する断面図である。
【図５】同作用説明図であり、上部と下部の夫々のフィルター部同士の間隔の変更を説明する断面図で、（ａ）は間隔が最大の状態、（ｂ）は間隔が最小の状態を示す。
【図６】本考案の第２実施形態に係るエアコン用交換フィルターの斜視図である。
【図７】同平面図である。
【図８】同上部と下部の夫々左右に位置するフィルター部同士の間に取り付けるガイド部材の中間部を一部省略して示した拡大斜視図である。
【図９】同上部の左右に位置するフィルター部と、下部の左右に位置するフィルター部同士の間に取り付けるガイド部材の中間部を一部省略して示した拡大斜視図である。
【考案を実施するための形態】
【００１２】
以下、本考案を実施するための形態について、図面を参照して説明する。
【００１３】
先ず、図１乃至図５に示した本考案の第１実施形態について説明する。
図中、１はエアコン用交換フィルターである。また、該エアコン用交換フィルター１は、正方形のパネル状フィルター２を、中央部を縦横に分断して４枚のフィルター部２Ａ、２Ｂ、２Ｃと２Ｄとなし、上部と下部の夫々左右に位置するフィルター部２Ａと２Ｂ、２Ｃと２Ｄ同士の間に、山と谷が交互に連続する伸縮プリーツ材３、４を、その山の稜線が上下方向に延びるようにして取り付けると共に、上部の左右に位置するフィルター部２Ａ、２Ｂと、下部の左右に位置するフィルター部２Ｃ、２Ｄ同士の間に、長さを、上部と下部の夫々の左右のフィルター部２Ａ、２Ｂ、２Ｃ、２Ｄを最大に拡大したときにおける外端部間の間隔Ｗ１より小さい長さとした、山と谷が交互に連続する伸縮プリーツ材５、６の一対を、山の稜線が左右方向に延びるようにして摺動自在に重合し、夫々の長さ方向の一端側５′、６′を、上部と下部の上下に位置するフィルター部２Ａと２Ｃ、２Ｂと２Ｄ同士に接続して取り付け、更に前記４枚のフィルター部２Ａ、２Ｂ、２Ｃ、２Ｄ同士の間に、同一平面を保持した状態での相互間の間隔の拡縮をガイドするガイド部材７、８、９、１０を取り付けてなるものである。また、前記４枚のフィルター部２Ａ、２Ｂ、２Ｃ、２Ｄは、夫々周囲をフレーム２Ａ′、２Ｂ′、２Ｃ′、２Ｄ′で囲まれている。
【００１４】
尚、図２において、Ｗ１は上部と下部の夫々の左右のフィルター部、即ち２Ａと２Ｂ、２Ｃと２Ｄを左右方向に最大に拡大したときにおける外端部間の間隔であり、Ｗ２はこれらを最小に縮小したときにおける外端部間の間隔である。また、Ｗ１′は上部と下部のフィルター部、即ち２Ａ、２Ｂと２Ｃ、２Ｄを上下方向に最大に拡大したときにおける外端部間の間隔であり、Ｗ２′はこれらを最小に縮小したときにおける外端部間の間隔である
【００１５】
また、前記正方形のパネル状フィルター２として、本実施形態においては山と谷が交互に連続する不織布プリーツフィルターを用いているが、平坦な形状のウレタンフィルターでもよい。
【００１６】
また、前記伸縮プリーツ材３、４、５、６として、正方形のパネル状フィルター２が全体的に拡大、縮小したときにおいてもフィルターとしての性能を損なわないように、正方形のパネル状フィルター２と同様のプリーツフィルターを用いることが望ましい。
【００１７】
また、前記ガイド部材７、８、９、１０はいずれも同一構造であるから、図３を参照してガイド部材１０についてのみ説明する。そして、本実施形態におけるガイド部材１０は、隣接するフィルター部２Ｂ、２Ｄの夫々の外面に取着する、ガイド環１２、１２、１２・・・を有する基板１１と、前記隣接するフィルター部２Ｂ、２Ｄの夫々に取着した基板１１、１１のガイド環１２、１２、１２・・・に亘って摺動自在に貫挿したガイド杆１３とからなるものである。また、前記ガイド杆１３は、その長さ方向の両端部に夫々ストッパー１３Ａ、１３Ｂを設けている。
【００１８】
次に、本実施形態の作用について説明する。
エアコン用交換フィルター１の寸法を最大にするとき、即ち、図２におけるＷ１、Ｗ１′の状態とするには、図４に示す如く、上部と下部の夫々の左右のフィルター部、即ち、左右のフィルター部２Ａと２Ｂ、並びに２Ｃと２Ｄ間に取り付けた伸縮プリーツ材３、４を伸ばして相互の左右方向の間隔を最大にすると共に、上部と下部の夫々の左右のフィルター部、即ち、上部の左右のフィルター部２Ａ、２Ｂと下部の左右のフィルター部２Ｃ、２Ｄ間に取り付けた重合する一対の伸縮プリーツ材５、６を、その長さ方向、即ち左右方向にずらし、また一方、この状態において、図５（ａ）に示す如く、該重合する一対の伸縮プリーツ材５、６を、その幅方向、即ち上下方向に伸ばし、上部と下部の夫々のフィルター部、即ち、上部の左右のフィルター部２Ａ、２Ｂと下部の左右のフィルター部２Ｃ、２Ｄ間の間隔を上下方向に最大にするものである。そして、また、このときには前記上部と下部の４枚のフィルター部２Ａ、２Ｂ、２Ｃ、２Ｄは、夫々の間に取り付けられたガイド部材７、８、９、１０をもって同一平面を保持した状態において行われるものである。
【００１９】
また、上記と反対にエアコン用交換フィルター１の寸法を最小にするとき、即ち、図２におけるＷ２、Ｗ２′の状態とするときは、上記の手順と逆の手順にて行うものであり、そして、最大の寸法と最小の寸法の範囲内においていかなる寸法にも自由に調整することができるものである。
【００２０】
本実施形態は、上記の如く、４枚のフィルター部２Ａ、２Ｂ、２Ｃ、２Ｄの夫々の間隔を変更することにより、全体の寸法を適宜の寸法に調整することができるものである。したがって、一種類のフィルターでもって各社の提供する数種のエアコンの全てに対応することができ、もって上記従来の問題点を悉く解消することができるものである。
【００２１】
次に、図６乃至図９に示した本考案の第２実施形態について説明する。
本実施形態と前記第１実施形態とは、４枚のフィルター部同士の間に取り付ける、同一平面を保持した状態での相互間の間隔の拡縮をガイドするガイド部材の点において相違するものである。尚、その他の構成は前記第１実施形態と同様であるから、同一の部材には同一の符号を付して詳細な説明は省略する。
【００２２】
本実施形態におけるガイド部材は、隣接するフィルター部の間に取り付けるフレームからなるガイド部材である。そして、上部と下部の夫々左右に位置するフィルター部２Ａと２Ｂ、２Ｃと２Ｄ同士の間に取り付けるフレームからなるガイド部材１４、１５にあっては、伸縮プリーツ材３、４の夫々の周囲を取り囲む平面視長方形をなし、長辺部１４Ａ、１４Ａ、１５Ａ、１５Ａ間の間隔を拡縮自在としたフレームからなるガイド部材である。
【００２３】
また、該ガイド部材１４、１５の具体的構造は、次の通りである。尚、該ガイド部材１４、１５は、同一構造であるから、図８を参照してガイド部材１４についてのみ説明する。そして、本実施形態におけるガイド部材１４は、伸縮プリーツ材３の周囲を取り囲む平面視長方形をなし、短辺部１４Ｂ、１４Ｂを中央部で分断し、且つ該分断部分において内外に摺動自在に重合してなるものである。そして、該ガイド部材１４の長辺部１４Ａ、１４Ａの外面は、夫々上部の左右に位置するフィルター部２Ａ、２Ｂのフレーム２Ａ′と２Ｂ′の外面に接着されている。
【００２４】
また、上部の左右に位置するフィルター部２Ａ、２Ｂと、下部の左右に位置するフィルター部２Ｃ、２Ｄ同士の間に取り付けるフレームからなるガイド部材１６、１７にあっては、摺動自在に重合した一対の伸縮プリーツ材５、６の夫々の長さ方向の中央部を除いた周囲を取り囲む平面視長方形をなし、長辺部１６Ａ、１６Ａ間の間隔を拡縮自在としたフレームからなるガイド部材である。
【００２５】
また、該ガイド部材１６、１７の具体的構造は、次の通りである。尚、該ガイド部材１６、１７は、同一構造であるから、図９を参照してガイド部材１６についてのみ説明する。そして、本実施形態におけるガイド部材１６は、摺動自在に重合した一対の伸縮プリーツ材５、６の夫々の長さ方向の中央部を除いた周囲を取り囲む平面視長方形をなし、一方の短辺部１６Ｂを中央部で分断し、且つ該分断部分において内外に摺動自在に重合すると共に、もう一方の短辺部１６Ｂ′を、一方の長辺部１６Ａから伸び出す弾性バンド１６ａと、もう一方の長辺部１６Ａから伸び出し、前記弾性バンド１６ａの先端部のガイド通孔１６ｂ′を設けたバンド１６ｂとをもって構成するものである。そして、該ガイド部材１６の長辺部１６Ａ、１６Ａの外面は、夫々上部と下部のフィルター部２Ａ、２Ｃのフレーム２Ａ′、２Ｃ′の外面に接着されている。尚、ガイド部材１７の長辺部１７Ａ、１７Ａの外面は、夫々上部と下部のフィルター部２Ｂ、２Ｃのフレーム２Ｂ′と２Ｄ′の外面に接着されている。
【００２６】
次に、本実施形態の作用について説明する。
上部と下部の夫々左右に位置するフィルター部２Ａと２Ｂ、２Ｃと２Ｄ同士の間隔を、伸縮プリーツ材３、４の夫々の伸縮をもって拡縮するときには、ガイド部材１４、１５の夫々における長辺部１４Ａ、１４Ａ、１５Ａ、１５Ａ間の間隔を拡縮させるこことによって行うものである。また、上部の左右に位置するフィルター部２Ａ、２Ｂと、下部の左右に位置するフィルター部２Ｃ、２Ｄ同士の間隔を、摺動自在に重合した一対の伸縮プリーツ材５、６の伸縮をもって拡縮するときには、ガイド部材１６、１７の夫々における長辺部１６Ａ、１６Ａ、１７Ａ、１７Ａ間の間隔を拡縮させることによって行うものである。
【符号の説明】
【００２７】
１  エアコン用交換フィルター
２  方形のパネル状フィルター
２Ａ、２Ｂ、２Ｃ、２Ｄ  フィルター部
３、４  伸縮プリーツ材
５、６  一対の伸縮プリーツ材
７、８、９、１０  ガイド部材
１４、１５  ガイド部材
１６、１７  ガイド部材
【図１】
0003217351.tif 000003
【図２】
0003217351.tif 000004
【図３】
0003217351.tif 000005
【図４】
0003217351.tif 000006
【図５】
0003217351.tif 000007
【図６】
0003217351.tif 000008
【図７】
0003217351.tif 000009
【図８】
0003217351.tif 000010
【図９】
0003217351.tif 000011